(57)【要約】      （修正有）【課題】アナログインターフェースを有する投影型静電容量式タッチスクリーンを提供する。【解決手段】投影型静電容量式タッチスクリーン本体１０及びデジタルシリアルインターフェース１１が備わり、投影型静電容量式タッチスクリーン本体の入力ピンは、Ｘ軸とＹ軸の信号源を含む単チップマイクロコンピュータ２０の入力／出力チャンネルとつながり、単チップマイクロコンピュータは、シリアル通信プロトコル信号線２１を通じて、デジタルシリアルインターフェースとつながっており、そして、単チップマイクロコンピュータは更に、Ｄ／Ａコンバーター２３と電気抵抗スクリーン信号線２２を通じて、アナログインターフェース１２につながるように設けられている。【選択図】図１
0003162766.tif 000002
【実用新案登録請求の範囲】
【請求項１】
投影型静電容量式タッチスクリーン本体及びデジタルシリアルインターフェースが備わり、投影型静電容量式タッチスクリーン本体の入力ピンは、Ｘ軸とＹ軸の信号源を含む単チップマイクロコンピュータの入力／出力チャンネルとつながり、単チップマイクロコンピュータは、シリアル通信プロトコル信号線を通じて、デジタルシリアルインターフェースとつながっており、そして、単チップマイクロコンピュータは更に、Ｄ／Ａコンバーターと電気抵抗スクリーン信号線を通じて、アナログインターフェースにつながるように設けられていることを特徴とするアナログインターフェースを有する投影型静電容量式タッチスクリーン。
【請求項２】
該シリアル通信プロトコル信号線は、１２Ｃ、ＳＰＩ、またはＵＡＲＴ信号線であることを特徴とする請求項１に記載の投影型静電容量式タッチスクリーン。
【考案の詳細な説明】
【技術分野】
【０００１】
本考案は、投影型静電容量式タッチスクリーンに関わり、特に、投影型静電容量式タッチスクリーンインターフェースの技術分野に関する。
【背景技術】
【０００２】
従来の国内外の投影型静電容量式タッチスクリーンはいずれも、１２Ｃ（ｉｎｔｅｒ  ｉｎｔｅｇｒａｔｅｄ）または＝ＳＰＩ（ｓｅｒｉａｌ  ｐｅｒｉｐｈｅｒａｌ  ｉｎｔｅｒｆａｃｅ）通信プロトコルなどのデジタルシリアルインターフェースが採用され、操作フラットフォームの違いで、調整を行う必要があるが、異なったＣＰＵやオペレーティングシステムに対応するために、その調整を完成させるのに、通常はかなりの人と時間がかかるが、それは、投影型静電容量式タッチスクリーンの普及に対して、大きな障害となっている。現在、電気抵抗式タッチスクリーンは広く普及されているが、光透過率が低く、  磨耗率が高く、表面平坦度が悪く、操作しにくいという欠点があり、もし、投影型静電容量式タッチスクリーンの出力モードは、デジタルシリアルインターフェースとアナログインターフェースを同時に持っている場合、一般の電気抵抗式タッチスクリーンから、静電容量式タッチスクリーンへアップグレードするために必要とされる時間、及び技術の困難さを大幅に低減させるようにし、投影型静電容量式タッチスクリーンの推進と普及につながると思われる。  
【考案の開示】
【考案が解決しようとする課題】
【０００３】
本考案は、従来の既存技術の不十分なところについて、静電容量式スクリーン専用だけではなく、電気抵抗式タッチスクリーンのソリューションにも適用するために、アナログインターフェースを有する投影型静電容量式タッチスクリーンを提供することを目的とする。
【課題を解決するための手段】
【０００４】
上述の目的を実現させるため、本考案は、投影型静電容量式タッチスクリーン本体及びデジタルシリアルインターフェースが備わり、投影型静電容量式タッチスクリーン本体の入力ピンは、Ｘ軸とＹ軸の信号源を含む単チップマイクロコンピュータの入力／出力チャンネルとつながり、単チップマイクロコンピュータは、シリアル通信プロトコル信号線を通じて、デジタルシリアルインターフェースとつながっており、そして、単チップマイクロコンピュータは更に、Ｄ／Ａコンバーターと電気抵抗スクリーン信号線を通じて、アナログインターフェースにつながるように設けられていることを特徴とするアナログインターフェースを有する投影型静電容量タッチスクリーンを提供する。
【０００５】
該シリアル通信プロトコル信号線は、１２Ｃ、ＳＰＩ、またはＵＡＲＴ信号線であることを特徴とする。  
【考案の効果】
【０００６】
本考案の出力モードは、デジタルシリアルインターフェースとアナログ電気抵抗式タッチスクリーンのアナログインターフェースを同時に持っていることで、一般の電気抵抗式タッチスクリーンから静電容量式タッチスクリーンへアップグレードするために必要とされる時間、及び技術の困難さが大幅に低減され、投影型静電容量式タッチスクリーンの普及と革新的発展に有効な効果がある。
【図面の簡単な説明】
【０００７】
【図１】この考案のアナログインターフェースを有する投影型静電容量式タッチスクリーン分解図である。
【考案を実施するための形態】
【０００８】
以下の内容は、本考案の好適な実施例のみについて説明するものであり、それを以って、本考案の特許請求範囲を制限してはならないとする。  
【０００９】
図１に示すように、本考案のアナログインターフェースを有する投影型静電容量式タッチスクリーンは、投影型静電容量式タッチスクリーン本体１０及びデジタルシリアルインターフェース１１ｇが備わり、投影型静電容量式タッチスクリーン本体１０の入力ピンは、Ｘ軸とＹ軸の信号源を含む単チップマイクロコンピュータ２０の入力／出力チャンネルとつながり、単チップマイクロコンピュータ２０は、１２Ｃシリアル通信プロトコル信号線（ＳＰＩ、ＵＡＲＴ信号線でもよい）２１を通じて、デジタルシリアルインターフェース１１とつながっており、そして、単チップマイクロコンピュータ２０は更に、Ｄ／Ａコンバーター２３と電気抵抗スクリーン信号線２２を通じて、アナログインターフェース１２とつながるように設けられている。  
【００１０】
本考案の実施は、次のような手順で行われている。
（１）単チップマイクロコンピュータの汎用入力／出力チャンネル（ＧＩＰＯ  Ｃｈａｎｎｅｌ）は、投影型静電容量式タッチスクリーンの入力ピンとして用いられ、その中に、Ｘ軸とＹ軸の信号源が含まれており、
（２）静電容量式タッチスクリーンの二次元パターン（Ｐａｔｔｅｒｎ）で、重心を計算し、それから、入力信号と線形補間によって、信号に対応のタッチスクリーン表示区の座標値（Ｘ、Ｙ）を算出するが、  
（３）定格電圧入力源に合わせて、Ｄ／Ａコンバーター（ＤＡＣ）で、座標値を電気抵抗式タッチスクリーン出力のアナログ信号（Ｘ＋、Ｘ−、Ｙ＋、Ｙ−）に変換し、電気抵抗スクリーン信号線を電気抵抗式タッチスクリーンに接続するが、
（４）それと同時に、タッチスクリーン表示区の座標値（Ｘ、Ｙ）を、シリアル通信プロトコル信号線で、投影型静電容量式タッチスクリーンに接続させるようにする。  
【００１１】
上述の方法で得た投影型静電容量式タッチスクリーンは、静電容量式スクリーン専用だけではなく、電気抵抗式タッチスクリーンのソリューションにも適用できる。
【符号の説明】
【００１２】
１０    投影型静電容量式タッチスクリーン本体
１１    デジタルシリアルインターフェース
１２    アナログインターフェース
２０    単チップマイクロコンピュータ
２１    １２Ｃシリアル通信プロトコル信号線（ＳＰＩ、ＵＡＲＴ信号線でもよい）
２２    電気抵抗スクリーン信号線
２３    Ｄ／Ａコンバーター
【図１】
0003162766.tif 000003